(57)【特許請求の範囲】
【請求項１】
遊技場に設置された遊技機に後付けで装着され、被取付部に固定される固定基部と、前記固定基部に回動可能に取り付けられるフットレスト本体とを備え、収納位置と使用位置との間で回動規制する回動規制構造を備え、
前記回動規制構造は、カム構造部により構成され、前記フットレスト本体は、回動アーム部と、前記回動アーム部に固定されたフットレスト部とを備え、前記カム構造部は、前記固定基部に固定されたカム原節部と、前記カム原節部に当接し、前記回動アーム部を回動させた場合に前記フットレスト部を前記被取付部に接近又は離間させるカム従節部とを備え、  
前記固定基部には前記カム原節部が設けられる一方、前記回動アーム部は回動軸部を有し、前記回動軸部には前記カム従節部と前記カム従節部を常時前記カム原節部に圧接させる付勢部とが設けられていることを特徴とする格納式フットレスト。
【請求項２】
前記回動アーム部の基端部には、前記固定基部に前記回動アーム部を回動可能に取り付ける前記回動軸部が固定されると共に前記付勢部が設けられる一方、前記回動アーム部の先端部には前記フットレスト部が固定されていることを特徴とする請求項１記載の格納式フットレスト。
【請求項３】
前記カム構造部は端面カムとして構成され、前記カム原節部は、前記回動軸部に沿って前記回動アーム部方向へ突出し、前記回動アーム部方向へ傾斜する傾斜端面を有する凸部により構成されると共に、前記カム従節部は前記傾斜端面に摺動可能に当接すると共に前記カム原節部に係合しうる傾斜面部を有する凹部により構成されていることを特徴とする請求項１記載の格納式フットレスト。
【請求項４】
前記フットレスト部は、前記回動アーム部に直交して設けられたフットバーにより形成されていることを特徴とする請求項２記載の格納式フットレスト。
【発明の詳細な説明】
【技術分野】
【０００１】
本発明は、格納式フットレストに係り、特に、遊技場に配置される遊技機に装着される格納式フットレストに関する。
【背景技術】
【０００２】
遊技場では遊技者が長時間に亘り、椅子に座って遊技機に向かって遊技を行う場合が多い。このような場合、足を床面部に投げ出した常態のままの場合には、足に疲労感を覚えてしまう場合がある。
【０００３】
しかしながら、遊技機にはフットレストは装着されていないことから、遊技機が遊技場に設置された後に、後付でフットレストを装着することが考えられる。
【０００４】
しかしながら、このように固定式のフットレストを後付で遊技機に装着した場合には、遊技機の下部において座席方向に突出することとなるため、遊技場を掃除する際に邪魔になったり、遊技者が着座又は離席する際には邪魔になる、という不具合がある。
【０００５】
そこで、従来より、掃除時に邪魔になることがないと共に遊技者の離席時又は着席時に邪魔になることのない、遊技機に後付が可能なフットレストが要望されていたが、このようなフットレストは存在しなかった。
【０００６】
本件特許出願人は、このような観点から従来技術の調査を行い以下の特許文献を抽出したが、いずれも上記のような要請に応えられるものではない。
【特許文献１】実開平７−２０８９７号公報
【特許文献２】特開平１０−３０９２１５号公報
【発明の開示】
【発明が解決しようとする課題】
【０００７】
そこで、本発明は、このような従来の要請に基づくものであって、掃除の際や、着席又は離席時に邪魔になることがなく、遊技機に後付が可能なフットレストを提供することにある。
【課題を解決するための手段】
【０００８】
このような課題解決のため請求項１記載の発明にあっては、遊技場に設置された遊技機に後付けで装着され、被取付部に固定される固定基部と、前記固定基部に回動可能に取り付けられるフットレスト本体とを備え、収納位置と使用位置との間で回動規制する回動規制構造を備え、前記回動規制構造は、カム構造部により構成され、前記フットレスト本体は、回動アーム部と、前記回動アーム部に固定されたフットレスト部とを備え、前記カム構造部は、前記固定基部に固定されたカム原節部と、前記カム原節部に当接し、前記回動アーム部を回動させた場合に前記フットレスト部を前記被取付部に接近又は離間させるカム従節部とを備え、前記固定基部には前記カム原節部が設けられる一方、前記回動アーム部は回動軸部を有し、前記回動軸部には前記カム従節部と前記カム従節部を常時前記カム原節部に圧接させる付勢部とが設けられていることを特徴とする。
【０００９】
請求項２記載の発明にあっては、前記回動アーム部の基端部には、前記固定基部に前記回動アーム部を回動可能に取り付ける前記回動軸部が固定されると共に前記付勢部が設けられる一方、前記回動アーム部の先端部には前記フットレスト部が固定されていることを特徴とする。
【００１０】
請求項３記載の発明にあっては、前記カム構造部は端面カムとして構成され、前記カム原節部は、前記回動軸部に沿って前記回動アーム部方向へ突出し、前記回動アーム部方向へ傾斜する傾斜端面を有する凸部により構成されると共に、前記カム従節部は前記傾斜端面に摺動可能に当接すると共に前記カム原節部に係合しうる傾斜面部を有する凹部により構成されていることを特徴とする。
【００１１】
請求項４記載の発明にあっては、前記フットレスト部は、前記回動アーム部に直交して設けられたフットバーにより形成されていることを特徴とする。
【発明の効果】
【００１２】
請求項１乃至４記載の発明にあっては、遊技場に設置された遊技機に後付けで装着され、被取付部に固定される固定基部と、前記固定基部に回動可能に取り付けられるフットレスト本体とを備え、前記固定基部と前記フットレスト本体との間にはカム構造部が設けられ、前記カム構造部により収納位置と使用位置との間を回動規制するように構成され、前記カム構造部により前記フットレスト本体の回動が規制されて格納位置と使用位置とが形成されるものであることから、簡易な構造であって、掃除の際や、着席又は離席時に邪魔になることがなく、遊技機に後付が可能なフットレストを提供することができる。
【図面の簡単な説明】
【００１３】
【図１】本発明に係る格納式フットレストの一実施の形態を示し、使用状態及び格納状態を示す斜視図である。
【図２】本発明に係る格納式フットレストの一実施の形態を示す分解斜視図である。
【図３】本発明に係る格納式フットレストのカム構造を示し、フットレストの使用状態と格納状態に対応したカムの作動状態を示す説明図である。
【図４】本発明に係る格納式フットレストの一実施の形態を示し、フットバーの取付による微調整の状態を示す側面図である。
【図５】本発明に係る格納式フットレストのカム構造を示し、フットレストの使用状態と格納状態に対応したカムの作動状態を示す説明図であって、特に、カム原節部と回動するカム従節部との相対関係を示す図である。
【発明を実施するための最良の形態】
【００１４】
以下、本発明に係る格納式フットレストを実施の形態に基づき、図面を参照して詳細に説明する。
【００１５】
図１に示すように、本実施の形態に係る格納式フットレスト１０は、遊技場に設置された遊技機１１に取り付けられており、被取付部としての遊技機１１の前面部下部に固定される固定基部１２と、前記固定基部１２に回動可能に取り付けられるフットレスト本体１３とを備えており、前記固定基部１２と前記フットレスト本体１３にはカム構造部１４が設けられており、カム構造部１４により収納位置Ａ（垂直位置）と使用位置Ｂ（水平位置）との間で回動規制するように構成されている。
【００１６】
フットレスト本体１３は、回動アーム部１５と、前記回動アーム部１５に固定されたフットレスト部１６とを備えている。
【００１７】
図２に示すように、カム構造部１７は、固定基部１２に固定されたカム原節部１８と、カム原節部１８に当接し、回動アーム部１５を回動させてフットレスト部１６を遊技機１１に接近又は離間させるカム縦節部１９とを備えている。
【００１８】
回動アーム部１５は回動軸部としてのボルト２０を有しており、ボルト２０には前記カム従節部１９を常時前記カム原節部１８に圧接させる付勢部としてのコイルスプリング２１が挿通される。
【００１９】
固定基部１２は、ビス２４により締め付け固定される孔部２５、２５を有する板状の固定部２２と、固定部２２の上端部に延設され、固定部２２の前方へ突出して形成された回動支持部２３とにより構成されている。
【００２０】
回動支持部２３は平面略コ字状に形成され、幅方向両端部には、内部に回動アーム部１５を保持する一対の保持フランジ部２６ａ、２６ｂを有している。
【００２１】
本実施の形態にあっては、カム構造部１７は端面カムとして構成されており、一方の保持フランジ部２６の内側面部にはカム原節部１８が取り付けられている。
【００２２】
カム原節部１８は、全体略三角柱状に形成され、ボルト２０により保持フランジ部２６ａに挿通固定されている。
【００２３】
カム原節部１８は、回動軸部としてのボルト２０に沿って回動アーム部１５方向へ突出し、回動アーム部１５方向へ傾斜する一対の傾斜端面２９、２９を有している。カム原節部１８は一対の傾斜端面２９、２９により形成される稜線部３１を有しており、稜線部３１は水平となるように配置されている。
【００２４】
一方、フットレスト本体１３を構成する回動アーム部１５は、側面略Ｊ字状であって平面帯状に形成され、基端部には円筒部２８が形成されており、円筒部２８のカム原節部１８との対向面部にはカム従節部１９が形成されている。
【００２５】
カム従節部１９は、ボルト２０の回動に伴って前記傾斜端面２９に摺動可能に回動して当接すると共に前記カム原節部１８に係合しうる傾斜端面３０、３０を有する側面Ｖ字状の凹部により構成されており、一対の周縁先端部３２、３２を有している。
【００２６】
図２及び図３に示すように、円筒部２８の反カム従節部側の端部には開口部３６が形成されて開放されていると共に、円筒部２８内にはコイルスプリング収納部３４が設けられている。
【００２７】
コイルスプリング収納部３４は中央部に隔壁部３５が設けられており、コイルスプリング２１は一端部が隔壁部３５に当接すると共に他端部が他方の保持フランジ部２６ｂに当接するように、隔壁部３５と保持フランジ部２６ｂとの間に配設されており、隔壁部３５を介して常時、回動アーム部１５をカム原節部１８方向へ押圧する付勢力を回動アーム部１５に付与している。
【００２８】
従って、カム従節部１９は、図２及び図３に示すように、フットレスト部１６を回動させて収納位置に至った際（回動アーム部１５が直立状態となった際：図３（Ｂ−１）参照）には、図３Ｂ−２及び図５Ａに示すように、コイルスプリング２１の付勢力により、カム従節部１９の傾斜端面３０、３０がカム原節部１８の傾斜端面２９、２９に全面的に当接し、互いに完全に係合している。
また、フットレスト部１６を回動させて使用状態位置に至る際（回動アーム部１５が回動して直立状態から水平状態に至る際：図３（Ａ−１））には、図３Ａ−２に示すように、回動アーム部１５はコイルスプリング２１の付勢力に抗して、ボルト２０に沿って図中、右方向へ移動し、円筒部２８が回動することから傾斜端面３０、３０の周縁先端部３２、３２はカム原節部１８の一対の傾斜端面２９、２９の下端部３３、３３から傾斜端面２９、２９上を回動しながら摺動して稜線部３１に至り、図５Ｄに示すように、周縁先端部３２、３２が稜線部３１に係止した状態で固定される。
また、図３Ｂ−１に示すように、フットレスト部１６が使用状態位置にから収納位置へ至る際（回動アーム部１５が回動して水平状態から垂直状態に至る際）には、遊技者がフットレスト部１６を足などにより上方へ僅かに回動させた場合には、周縁先端部３２、３２の稜線部３１との係止が解除されることにより、コイルスプリング２１の付勢力により回動アーム部１５は図中左方向へ移動し、円筒部２８が回動することから傾斜端面３０の周縁先端部３２、３２はカム原節部１８の稜線部３１から一対の傾斜端面２９、２９上を回動しながら下降して下端部３３、３３に至り、カム従節部１９はカム原節部１８に係合するように構成されている。
【００２９】
図２及び図３に示すように、回動アーム部１５の先端部には棒状のフットバー３７が固定されている。回動アーム部１５の先端部には円筒部３９が形成されており、フットバー３７は円筒部３９にスクリュー４０により、円筒部３９がフットバー３７の長さ寸法の中間位置に配置されるように固定されている。
フットバー３７の両端部には脚部４１、４１が装着されており、脚部４１は、合成樹脂製のカバー部材として形成されており、円筒状の装着部４２と装着部４２の周面部から外方に突出形成された側面三角状の凸部４３とからなる。
図３及び図４に示すように、本実施の形態にあっては、フットバー３７には溝孔部３８が開設されており、溝孔部３８を介してスクリュー４４によりフットバー３７に固定されている。従って、スクリュー４４を適宜、調整することにより、装着部４２内において脚部４１を周方向に回動させて、凸部４３の配置角度を調整し、遊技場の床面４５からの高さを微調整により変更することができるように構成されている。
【００３０】
以下、本実施の形態に係る格納式フットレスト１０の作用を説明する。
本実施の形態に係る格納式フットレスト１０は、遊技場に設置された遊技機１１の前面下部に、スクリュー２４により固定基部１２を介して装着固定されており、不使用時にはフットレスト部３７は直立状態にあり（図１に示すＡの状態、図３（Ｂ）及び図５Ａに示す状態）、遊技機１１の前面パネル４６に沿って配置されている。
従って、遊技場を掃除したり、遊技者が椅子から立ち上がり離席する場合や、着席する場合にも、本実施の形態に係る格納式フットレスト１０は掃除者又は遊技者の動作の邪魔にならない。
【００３１】
この状態においては、図３Ｂ−２に示すように、回動アーム部１５はコイルスプリング２１の付勢力を受け、カム従節部１９の傾斜端面３０、３０がカム原節部１８の傾斜端面２９、２９に全面的に当接し、カム従節部１９はカム原節部１８に完全に係合している。また、上記コイルスプリング２１の付勢力によりカム従節部１９とカム原節部１８との係合状態は固定された状態となっている。従って、不使用時には、この姿勢においてフットレスト部１６は確実に固定されている。
【００３２】
その後、遊技者が本実施の形態に係る格納式フットレスト１０を使用する場合には例えば、足でフットレスト部１６を手前に倒した場合には、まず、図５Ｂに示すように、カム従節部１９がコイルスプリング２１の付勢力に抗して反カム原節部１８方向に移動し始め、カム原節部１８の傾斜端面２９とカム従節部１９の傾斜端面３０との間にわずかに隙間が形成される。
さらに、フットレスト部１６を手前に倒した場合には、回動アーム部１５は図３Ａ−２に示すように、コイルスプリング２１の付勢力に抗して図中右方向へ移動し、ボルト２０に沿って図中、右方向へ移動し、傾斜端面３０、３０の周縁先端部３２、３２はカム原節部１８の一対の傾斜端面２９、２９の下端部３３、３３から傾斜端面２９、２９上を回動しながら稜線部３１に向かって摺動し、図５Ｂに示すように、カム原節部１８の傾斜端面２９とカム従節部１９の傾斜端面３０との間の隙間が拡大される。 
その後、遊技者がフットレスト部１６を手前に完全に、ほぼ水平状態にまで倒した場合には、図５Ａに示すように、カム従節部１９の傾斜端面３０の周縁先端部３２、３２はカム原節部１８の稜線部３１上に乗り上げ、コイルスプリング２１の付勢力に抗して固定された状態となる。従って、図３Ａ−１に示すように、この状態で、フットレスト部１６はほぼ水平の角度位置まで倒れ、遊技機１１の前方にフットレストが形成される。
【００３３】
この状態で、フットレスト部１６はほぼ水平状態に至っていることから、遊技者はフットバー３７の左右半部３７ａ、３７ｂに、夫々、左足及び右足を乗せて遊技を行うことが可能となる。その結果、遊技者が長時間に亘り、遊技する場合であっても、本実施の形態に係る格納式フットレスト１０を使用することにより、足の疲労を最大限除去しつつ遊技を行うことが可能となる。
その後、離席時等、フットレストを収納位置へ戻したい場合には、遊技者がフットレスト部１６を足などにより上方へ僅かに回動させることにより、カム従節部１９の周縁先端部３２、３２の、カム原節部１８の稜線部３１との係止固定が解除され、コイルスプリング２１の付勢力により回動アーム部１５は図中左方向へ移動し、遊技者は足をフットバー３７から放すことにより、回動アーム部１５は、コイルスプリング２１の付勢力により自動的に上方へ回動し、図３Ｂ−１及び図５Ａに示す収納位置へ至る。
【００３４】
従って、この状態において遊技者は離席又は着席する際に、椅子との間でフットレスト１０が邪魔にならずに離席動作又は着席動作を行うことができる。また、ホール担当者が床面等を掃除する場合であっても、フットレスト１０が邪魔になることなく作業を行うことができる。
【００３５】
本実施の形態にあっては、本発明に係る格納式フットレストを遊技機に装着する場合を例に説明したが、本実施の形態に限定されず、遊技機以外の対象物に装着されてもよい。
【産業上の利用可能性】
【００３６】
本発明は格納式フットレストに係るため、広く産業の利用可能性を有している。
【符号の説明】
【００３７】
１０  格納式フットレスト
１１  遊技機
１２  固定基部
１３  フットレスト本体
１４  カム構造部（回動規制構造）
１５  回動アーム部
１６  フットレスト部
１８  カム原節部
１９  カム従節部
２０  ボルト（回動軸部）
２１  コイルスプリング
２２  固定部
２３  回動支持部
２４  ビス
２５  孔部
２６  保持フランジ部
２８  円筒部
２９  傾斜端面
３０  傾斜端面
３１  稜線部
３２  周縁先端部
３３  下縁部
３４  コイルスプリング収納部
３５  隔壁部
３６  開口部
３７  フットバー部
３８  孔部
３９  円筒部
４０  スクリュー
４１  脚部
４２  装着部
４３  凸部
４４  スクリュー
４５  床面
４６  前面パネル
Ａ  収納位置
Ｂ  使用位置
【図１】
0006329575.tif 000002
【図２】
0006329575.tif 000003
【図３】
0006329575.tif 000004
【図４】
0006329575.tif 000005
【図５】
0006329575.tif 000006